(57)【要約】【目的】  ユーザーによるチャンネル選択を適切に支援することができるディジタル放送受信装置を提供する。【構成】  放送受信装置２のＦｌａｓｈＲＯＭ２１８には、各地域識別情報と色とを対応付けた色設定テーブルやポジション設定テーブルなどが格納される。ＣＰＵ２０９は、色設定テーブルとポジション設定テーブルとに基づいて各選局ボタンの表示色を制御する。例えば、「ＮＮＮ総合」を選局ボタン「１」に割り当てており、「ＮＮＮ総合」の地域識別の値が「４０」であるとする。そして、前記色設定テーブルでは、地域識別の値が「４０」である場合には「赤」とすることが規定されているとする。この場合、ＣＰＵ２０９は、タッチパネル画面上の選局ボタン「１」が赤色で表示されるようにグラフィックコントローラ（ＯＳＤ）２０５に指令を与える。【選択図】      図１
2006254379.tif 000002
【特許請求の範囲】
【請求項１】
地域により受信可能な放送局が異なる地上ディジタル放送を受信するディジタル放送受信装置において、どの地域用の放送であるかを示す地域識別情報を放送波から取得する手段と、各選局ボタンの番号と各放送とを対応付けたポジション設定テーブルと、各地域識別情報と色とを対応付けた色設定テーブルと、前記両テーブルに基づいて各選局ボタンの表示色又は発光色を制御する制御手段と、を備えたことを特徴とするディジタル放送受信装置。
【請求項２】
地域により受信可能な放送局が異なる地上ディジタル放送を受信するディジタル放送受信装置において、どの地域用の放送であるかを示す地域識別情報を放送波から取得する手段と、各選局ボタンの番号と各放送とを対応付けたポジション設定テーブルと、受信可能な放送のなかで同一の地域識別情報を持つ放送の数に基づく順位と色とを対応付けた色設定テーブルと、前記両テーブルに基づいて各選局ボタンの表示色又は発光色を制御する制御手段と、を備えたことを特徴とするディジタル放送受信装置。
【請求項３】
地域により受信可能な放送局が異なる地上ディジタル放送を受信するディジタル放送受信装置において、どの地域用の放送であるかを示す地域識別情報を放送波から取得する手段と、各選局ボタンの番号と各放送とを対応付けたポジション設定テーブルと、現在地から指定された移動地までの通過地域を地図データに基づいて割り出すルート計算手段と、現在地と通過地域と目的地とに対応する各地域識別情報と色とを対応付けた色設定テーブルと、前記両テーブルに基づいて各選局ボタンの表示色又は発光色を制御する制御手段と、を備えたことを特徴とするディジタル放送受信装置。
【請求項４】
ディジタル放送を受信するディジタル放送受信装置において、番組のジャンルを示すジャンル情報を放送波から取得する手段と、各選局ボタンの番号と各放送とを対応付けたポジション設定テーブルと、ジャンルと色とを対応付けた色設定テーブルと、前記両テーブルに基づいて各選局ボタンの表示色又は発光色を制御する制御手段と、を備えたことを特徴とするディジタル放送受信装置。
【請求項５】
請求項１乃至請求項４のいずれかに記載のディジタル放送受信装置において、各選局ボタンの裏面側に発光色が異なる複数の発光素子が設けられており、前記制御手段は、各選局ボタンについてどの発光素子を発光させるかを制御することを特徴とするディジタル放送受信装置。
【請求項６】
請求項５に記載のディジタル放送受信装置において、放送が割り当てられていない選局ボタンの発光素子を消灯することを特徴とするディジタル放送受信装置。
【請求項７】
請求項１乃至請求項４のいずれかに記載のディジタル放送受信装置において、各選局ボタンは表示画面又はタッチパネル画面上にグラフィック表示され、前記制御手段は、各選局ボタンの表示色を制御することを特徴とするディジタル放送受信装置。
【請求項８】
請求項７に記載のディジタル放送受信装置において、放送が割り当てられていない選局ボタンを、放送が割り当てられていない場合の色として予め設定されている色で表示することを特徴とするディジタル放送受信装置。
【請求項９】
地域により受信可能な放送局が異なる地上ディジタル放送を受信するディジタル放送受信装置において、どの地域用の放送であるかを示す地域識別情報を放送波から取得する手段と、各地域識別情報と色とを対応付けた色設定テーブルと、放送波から分離した番組情報に基づいて電子プログラムガイドを作成して画面表示する手段と、前記電子プログラムガイド内の各放送の表示欄の表示色を前記色設定テーブルに基づいて制御する制御手段と、を備えたことを特徴とするディジタル放送受信装置。
【請求項１０】
地域により受信可能な放送局が異なる地上ディジタル放送を受信するディジタル放送受信装置において、どの地域用の放送であるかを示す地域識別情報を放送波から取得する手段と、受信可能な放送のなかで同一の地域識別情報を持つ放送の数に基づく順位と色とを対応付けた色設定テーブルと、放送波から分離した番組情報に基づいて電子プログラムガイドを作成して画面表示する手段と、前記電子プログラムガイド内の各放送の表示欄の表示色を前記色設定テーブルに基づいて制御する制御手段と、を備えたことを特徴とするディジタル放送受信装置。
【請求項１１】
地域により受信可能な放送局が異なる地上ディジタル放送を受信するディジタル放送受信装置において、どの地域用の放送であるかを示す地域識別情報を放送波から取得する手段と、現在地から指定された移動地までの通過地域を地図データに基づいて割り出すルート計算手段と、現在地と通過地域と目的地とに対応する各地域識別情報と色とを対応付けた色設定テーブルと、放送波から分離した番組情報に基づいて電子プログラムガイドを作成して画面表示する手段と、前記電子プログラムガイド内の各放送の表示欄の表示色を前記色設定テーブルに基づいて制御する制御手段と、を備えたことを特徴とするディジタル放送受信装置。
【請求項１２】
ディジタル放送を受信するディジタル放送受信装置において、番組のジャンルを示すジャンル情報を放送波から取得する手段と、ジャンルと色とを対応付けた色設定テーブルと、放送波から分離した番組情報に基づいて電子プログラムガイドを作成して画面表示する手段と、前記電子プログラムガイド内の各番組欄の表示色を前記色設定テーブルに基づいて制御する制御手段と、を備えたことを特徴とするディジタル放送受信装置。
【発明の詳細な説明】
【技術分野】
【０００１】
この発明は、ディジタル放送を受信するディジタル放送受信装置に関する。
【背景技術】
【０００２】
地上ディジタル放送はアナログ地上波にみられるように各地に配置された複数の放送局によって放送を行うこととしており、衛星ディジタル放送のような一元放送とはならない。すなわち、地上波ディジタル放送においても、アナログ方式と同様に放送周波数配置は各放送局によって異なることになる。なお、従来技術として、例えば、移動前に○○放送を選局ボタン「１」に割り当てていた場合に移動地においても○○放送を選局ボタン「１」に割り当てる処理を自動実行するものが知られている（特許文献１参照）。
【特許文献１】特開２００１−２４４８３２５号公報
【発明の開示】
【発明が解決しようとする課題】
【０００３】
このため、ディジタル放送受信装置が車載用などとして構成され、受信地域が変化することになると、これまで受信できていた放送がその後は受信できなくなるといった不都合が生じる。また、いわゆるフリンジ地域では、二つの同一系列の放送局から放送される同じ番組を異なるチャンネル（周波数）で受信できてしまうことがあるが、このような場合には、どちらのチャンネルで視聴するのが望ましいかをユーザーが判断するのは容易でない。
【０００４】
この発明は、上記の事情に鑑み、ユーザーによるチャンネル選択等を適切に支援することができるディジタル放送受信装置を提供することを目的とする。
【課題を解決するための手段】
【０００５】
この発明のディジタル放送受信装置は、上記課題を解決するために、地域により受信可能な放送局が異なる地上ディジタル放送を受信するディジタル放送受信装置において、どの地域用の放送であるかを示す地域識別情報を放送波から取得する手段と、各選局ボタンの番号と各放送とを対応付けたポジション設定テーブルと、各地域識別情報と色とを対応付けた色設定テーブルと、前記両テーブルに基づいて各選局ボタンの表示色又は発光色を制御する制御手段と、を備えたことを特徴とする。
【０００６】
上記の構成であれば、放送の地域別で選局ボタンの色分けがなされることになり、ユーザーは所望の地域用の放送を前記選局ボタンの色で判断し、的確に放送を選択できることになる。
【０００７】
また、この発明のディジタル放送受信装置は、地域により受信可能な放送局が異なる地上ディジタル放送を受信するディジタル放送受信装置において、どの地域用の放送であるかを示す地域識別情報を放送波から取得する手段と、各選局ボタンの番号と各放送とを対応付けたポジション設定テーブルと、受信可能な放送のなかで同一の地域識別情報を持つ放送の数に基づく順位と色とを対応付けた色設定テーブルと、前記両テーブルに基づいて各選局ボタンの表示色又は発光色を制御する制御手段と、を備えたことを特徴とする。
【０００８】
上記の構成であれば、或る地域用の放送の数が４つで他の地域用の放送の数が３つであるとすると、前記或る地域用の放送が優先順位第１位で例えば赤色表示され、前記他の地域用の放送が優先順位第２位で例えば青色表示される。よって、ユーザーは所望の地域用の放送を前記選局ボタンの色で判断し、的確に放送を選択できることになる。
【０００９】
また、この発明のディジタル放送受信装置は、地域により受信可能な放送局が異なる地上ディジタル放送を受信するディジタル放送受信装置において、どの地域用の放送であるかを示す地域識別情報を放送波から取得する手段と、各選局ボタンの番号と各放送とを対応付けたポジション設定テーブルと、現在地から指定された移動地までの通過地域を地図データに基づいて割り出すルート計算手段と、現在地と通過地域と目的地とに対応する各地域識別情報と色とを対応付けた色設定テーブルと、前記両テーブルに基づいて各選局ボタンの表示色又は発光色を制御する制御手段と、を備えたことを特徴とする。
【００１０】
上記の構成であれば、現在地の放送、通過地の放送、目的地の放送といった区分けで選局ボタンの色分けがなされることになり、ユーザーは所望の地域用の放送を前記選局ボタンの色で判断し、的確に放送を選択できることになる。
【００１１】
また、この発明のディジタル放送受信装置は、ディジタル放送を受信するディジタル放送受信装置において、番組のジャンルを示すジャンル情報を放送波から取得する手段と、各選局ボタンの番号と各放送とを対応付けたポジション設定テーブルと、ジャンルと色とを対応付けた色設定テーブルと、前記両テーブルに基づいて各選局ボタンの表示色又は発光色を制御する制御手段と、を備えたことを特徴とする。
【００１２】
上記の構成であれば、番組のジャンル別で選局ボタンの色分けがなされることになり、ユーザーは所望のジャンルの番組を前記選局ボタンの色で判断し、的確に番組を選択できることになる。
【００１３】
これら構成のディジタル放送受信装置において、各選局ボタンの裏面側に発光色が異なる複数の発光素子が設けられており、前記制御手段は、各選局ボタンについてどの発光素子を発光させるかを制御することとしてもよい。かかる構成において、放送が割り当てられていない選局ボタンの発光素子を消灯することとしてもよい。
【００１４】
或いは、これら構成のディジタル放送受信装置において、各選局ボタンは表示画面又はタッチパネル画面上にグラフィック表示され、前記制御手段は、各選局ボタンの表示色を制御することとしてもよい。かかる構成において、放送が割り当てられていない選局ボタンを、放送が割り当てられていない場合の色として予め設定されている色で表示することとしてもよい。
【００１５】
また、この発明のディジタル放送受信装置は、地域により受信可能な放送局が異なる地上ディジタル放送を受信するディジタル放送受信装置において、どの地域用の放送であるかを示す地域識別情報を放送波から取得する手段と、各地域識別情報と色とを対応付けた色設定テーブルと、放送波から分離した番組情報に基づいて電子プログラムガイドを作成して画面表示する手段と、前記電子プログラムガイド内の各放送の表示欄の表示色を前記色設定テーブルに基づいて制御する制御手段と、を備えたことを特徴とする。
【００１６】
また、この発明のディジタル放送受信装置は、地域により受信可能な放送局が異なる地上ディジタル放送を受信するディジタル放送受信装置において、どの地域用の放送であるかを示す地域識別情報を放送波から取得する手段と、受信可能な放送のなかで同一の地域識別情報を持つ放送の数に基づく順位と色とを対応付けた色設定テーブルと、放送波から分離した番組情報に基づいて電子プログラムガイドを作成して画面表示する手段と、前記電子プログラムガイド内の各放送の表示欄の表示色を前記色設定テーブルに基づいて制御する制御手段と、を備えたことを特徴とする。
【００１７】
また、この発明のディジタル放送受信装置は、地域により受信可能な放送局が異なる地上ディジタル放送を受信するディジタル放送受信装置において、どの地域用の放送であるかを示す地域識別情報を放送波から取得する手段と、現在地から指定された移動地までの通過地域を地図データに基づいて割り出すルート計算手段と、現在地と通過地域と目的地とに対応する各地域識別情報と色とを対応付けた色設定テーブルと、放送波から分離した番組情報に基づいて電子プログラムガイドを作成して画面表示する手段と、前記電子プログラムガイド内の各放送の表示欄の表示色を前記色設定テーブルに基づいて制御する制御手段と、を備えたことを特徴とする。
【００１８】
また、この発明のディジタル放送受信装置は、ディジタル放送を受信するディジタル放送受信装置において、番組のジャンルを示すジャンル情報を放送波から取得する手段と、ジャンルと色とを対応付けた色設定テーブルと、放送波から分離した番組情報に基づいて電子プログラムガイドを作成して画面表示する手段と、前記電子プログラムガイド内の各番組欄の表示色を前記色設定テーブルに基づいて制御する制御手段と、を備えたことを特徴とする。
【発明の効果】
【００１９】
この発明によれば、ユーザーによるチャンネル選択を適切に支援することができるという効果を奏する。
【発明を実施するための最良の形態】
【００２０】
以下、この発明の実施形態を図１乃至図６に基づいて説明する。
【００２１】
図１はこの実施形態の車載型のディジタル放送受信装置を示したブロック図であり、図２はその外観を示した正面図である。なお、ディジタル放送受信装置がＴＶ付き携帯電話として構成されるときには、例えば、図３に示す外観を有することになる。
【００２２】
車載型のディジタル放送受信装置２は、地上波ディジタルチューナ２３０が放送受信することにより得た符号化映像・音声データ、或いは、スロット２０１に差し込まれたメモリカード３等から読み出した符号化映像・音声データにより、映像を液晶表示パネル２０２上に映し出すとともに、音声をスピーカ２０３から出力するようになっている。なお，この実施形態では符号化映像データはＨ．２６４データであるとする。
【００２３】
メモリカード３から読み出した符号化映像データは、ＰＣＭＣＩＡインターフェイス２２０、及びシステムバス２１３を経てビデオデコーダ２０４に供給される。また、地上波ディジタルチューナ２３０は、地上ディジタル放送で送信されてくるビットストリームデータを取り出し、ビデオデコーダ２０４やオーディオデコーダ２０６に与える。
【００２４】
ビデオデコーダ２０４は、ビットストリームデータを復号して量子化係数や動きベクトルを求め、逆ＤＣＴ変換や動きベクトルに基づく動き補償制御などを行い、これによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等（操作ボタン、電子プログラムガイド画面、メニュー画面等）を液晶表示パネル２０２に表示するＯＳＤ（オンスクリーンディスプレイ）処理も行う。オーディオデコーダ２０６は、ビットストリーム中の音声符号データを復号して音声データを生成する。ＳＤＲＡＭ２１０は、ビデオデコーダ２０４における上記処理において利用される。
【００２５】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してスピーカ２０３に与える。
【００２６】
操作パネル２１４は、操作ボタン、十字キー（方向キー）、選局ボタン等を備えている。この操作パネル２１４に対する操作情報は、インターフェイス２１５、及びシステムバス２１３を介してＣＰＵ２０９に与えられる。なお、この実施形態では、液晶表示パネル２０２上に設けたタッチパネルにて前記操作パネルの全部又は一部を構成している。図２における選局ボタン（１〜１２）は、ＯＳＤ表示によって液晶表示パネル２０２上に表示されるものであり、また、常時表示されるのではなく、所定の操作がなされたとき（例えば、ＴＶキーと表記されたボタンが押下されたとき）に表示される。ＣＰＵ２０９は操作パネル２１４に対する操作情報に基づいて必要な処理を実行する。
【００２７】
また、ディジタル放送受信装置２は、ＦｌａｓｈＲＯＭ２１８やＳＤＲＡＭ２１９も備える。ＦｌａｓｈＲＯＭ２１８には、番組情報（ＥＰＧ）、後述するポジション設定テーブル及び色設定テーブル等が格納されている。電池２２１は車載二次電池である。
【００２８】
ＣＰＵ２０９は、このディジタル放送受信装置２における全体制御を行うものであるが、特にこの発明にかかる処理として、チャンネルスキャン処理、リモコンキーＩＤ等の情報取得処理、選局ボタンの割当処理、タッチパネル画面上の選局ボタンの表示色を変化させる処理、チャンネルリストの作成処理等を行う。
【００２９】
（チャンネルスキャン処理）
例えば、受信装置２の毎日の初回電源投入時（例えば、毎日の最初のエンジン始動時）、これまで受信できていた放送が受信できなくなったとき、ユーザによるチャンネルスキャン指令を受けたとき、カーナビゲーション機能やＧＰＳ（グローバル・ポジショニング・システム）で地域が変わったと判断されたとき、或いは所定時間ごと等に、ＣＰＵ２０９はチャンネルスキャンを実行する。ＣＰＵ２０９は、チューナ２３０に地上ディジタル放送が送信されるＵＨＦ帯域の最も低い周波数を選局させて有局判定を行う。有局（ディジタル放送有り）と判断した場合には、その周波数情報、受信したトランスポートストリームから分離した付属情報（サービス識別、番組情報等）を抽出し、ＦｌａｓｈＲＯＭ２１８に記憶する。この処理を、順次周波数を上げて最も高い周波数まで続ける（例えば、１２ｃｈ乃至６１ｃｈまで）。前記付属情報中のサービス識別は、６ビットの地域識別（area code ）と、３ビットのサービス種別と、４ビットの地域事業者識別と、３ビットのサービス番号とから成り、トランスポートストリームからＰＳＩを分離し、そのなかのＮＩＴ（Ｎｅｔｗｏｒｋ  Ｉｎｆｏｒｍａｔｉｏｎ  Ｔａｂｌｅ）から取り出すことができる。
【００３０】
（リモコンキーＩＤの取得処理）
上述したチャンネルサーチに際し、有局の周波数において、トランスポートストリームからＰＳＩを分離し、そのなかのＮＩＴ（Ｎｅｔｗｏｒｋ  Ｉｎｆｏｒｍａｔｉｏｎ  Ｔａｂｌｅ）からリモコンキーＩＤを取り出す。
【００３１】
（選局ボタンの割当処理）
選局ボタンの割当処理は、前記リモコンキーＩＤに基づいて自動実行することによりできる。すなわち、○○放送局がリモコンキーＩＤとして「３」をトランスポートストリームに付加して送信することにより、受信装置２は、前記トランスポートストリームを受信してリモコンキーＩＤを取得し、選局ボタン「３」に○○放送局を設定する（○○放送局を受信するための周波数情報及びトランスポートストリームＩＤを選局ボタン「３」に対応付ける）。以後、ユーザによって選局ボタン「３」が操作されると、○○放送局の放送が選局されるようになる。また、選局ボタンの割当処理は、ユーザー操作で各選局ボタン（１〜１２のボタン：図２，図３参照）に個別に放送局等を割り当てることによってもできる。なお、従来技術の項で示した特開２００１−２４４８３２５号公報の技術を用いることにより、当初の選局ボタンの割当を維持するように選局情報を更新していくことができる。すなわち、移動前に○○放送を選局ボタン「１」に割り当てていた場合に、移動地においても○○放送を選局ボタン「１」に割り当てる処理を自動実行することができる。勿論、上記公報の技術に限らず、当初の選局ボタンの割当を維持するように選局情報を更新していく他の技術を採用できる。
【００３２】
（タッチパネル画面上の選局ボタンの表示色を変化させる処理）
（１）地域識別（area code ）に基づく色割り当て処理
放送受信装置２は、色設定テーブルとして、図６（ａ）に示すように、各地域識別情報と色とを対応付けたテーブルを備える。ＣＰＵ２０９は、前記色設定テーブルとポジション設定テーブルとに基づいて各選局ボタンの表示色を制御する。例えば、図５のポジション設定テーブルにおいては、「ＮＮＮ総合」を選局ボタン「１」に割り当てている。また、「ＮＮＮ総合」の地域識別の値は「４０」となっている。そして、図６（ａ）の色設定テーブルでは、地域識別の値が「４０」である場合には「赤」とすることが規定されている。従って、ＣＰＵ２０９は、タッチパネル画面上の選局ボタン「１」が赤色で表示されるようにＯＳＤに指令を与える。例えば、フリンジ地域では域外放送が受信できてしまうことがあるが、上記のごとく地域識別に基づいて選局ボタンの色が設定されるので、ユーザは選局ボタンの色で当該選局ボタンの放送は域外放送であるといったことを直ちに識別できることになる。
【００３３】
（２）番組のジャンルに基づく色割り当て処理
番組のジャンル情報は、ＥＩＴのコンテント記述子のcontent nibble１に記述されている。例えば、content nibble１＝１のときはニュース／報道というジャンルを示し、content nibble１＝２のときはスポーツというジャンルを示す。すなわち、ＣＰＵ２０９は、番組情報（ＥＰＧ情報）に基づき、各放送において現在放送中の番組のジャンル情報を知ることができる。また、放送受信装置２は、色設定テーブルとして、図６（ｂ）に示すように、ジャンルと色とを対応付けたテーブルを備える。ＣＰＵ２０９は、前記色設定テーブルとポジション設定テーブルとに基づいて各選局ボタンの表示色を制御する処理を行う。例えば、図５のポジション設定テーブルでは、「ＮＮＮ総合」を選局ボタン「１」に割り当てている。そして、ＮＮＮ総合の現在放送中の番組のジャンルが「１」であると仮定する。また、図６（ｂ）の色設定テーブルでは、ジャンルの値が「１」である場合には「白」とすることが規定されている。従って、ＣＰＵ２０９は、タッチパネル画面上の選局ボタン「１」については白色で表示されるようにＯＳＤに指令を与える。すなわち、この例では、時々刻々と選局ボタンの表示色は番組のジャンルに従って変化していくことになる。ユーザーは、或るジャンル（色）の放送を視聴したいときには、そのジャンルに対応する色で表示されている選局ボタンを操作すればよいことになる。
【００３４】
（３）同じ地域識別の値を持つ放送の数に基づく色割り当て処理
例えば、フリンジ地域で合計８つの放送を受信することができて、そのうちの４つの放送が地域識別「４０」を有し、３つの放送が地域識別「４１」を有し、１つの放送が地域識別「４２」を有するようなことがあり得る。放送受信装置２は、色設定テーブルとして、図６（ｃ）に示すように、地域の優先順位と色とを対応付けたテーブルを備える。地域の優先順位は、同じ地域識別の値を持つ放送の数が多いほど優先されることを意味する。上記の例であれば、地域識別「４０」が最も多いので優先順位「１」であり、地域識別「４１」が優先順位「２」であり、地域識別「４２」が優先順位「３」である。ＣＰＵ２０９は、前記色設定テーブルとポジション設定テーブルとに基づいて各選局ボタンの表示色を制御する。例えば、図５のポジション設定テーブルにおいては、「ＮＮＮ総合」を選局ボタン「１」に割り当てている。また、「ＮＮＮ総合」の地域識別の値は「４０」となっている。そして、図６（ｃ）の色設定テーブルでは、優先順位「１」である場合には「白」とすることが規定されている。前述のごとく、地域識別の値が「４０」である放送が優先順位「１」となるから、ＣＰＵ２０９は、タッチパネル画面上の選局ボタン「１」が赤色で表示されるようにＯＳＤに指令を与える。地域識別の値ごとに色を設定する（１）の例では、数多くの色が必要となるが、この（３）の例であれば、色数を少なくすることができる。なお、（１）の例においても、例えば、白、赤、緑、青、シアン、マゼンダ、イエローの７色だけを用意し、北から順に７色を割り当て、８つ目の地域から再び前記７色を割り当てるとすることを繰り返すとすれば、色は７色で済むことになる。
【００３５】
（４）現在地と通過地域と目的地とに基づく色割り当て処理
ディジタル放送受信装置２がカーナビゲーションシステムのルート計算機能を持つ（或いは、別途設けられたカーナビゲーションシステムからルート計算結果を取得する）ことにより、現在地から指定された移動地までの通過地域を割り出すことができる。例えば、大阪から東京にドライブする場合を想定すると、現在地として大阪が設定され、目的地として東京が設定され、その間の複数の地域が通過地域として設定される。地域名データと地域識別の値とを対応付けたテーブルを備えておけば、前記ルート計算で得られた地域名データから地域識別の値を割り出すことができる。放送受信装置２は、色設定テーブルとして、図６（ｄ）に示すように、「現在地」と「通過地」と「目的地」と色とを対応付けたテーブルを備える。「通過地」の付加番号は現在地から遠いほど大きな値となる。ここで、地域名データから割り出した現在地の地域識別の値が「４０」であり、受信できた放送の地域識別の値が「４０」であれば、当該放送は、「現在地」の放送であると判断される。また、地域名データから割り出した通過地の地域識別の値が「４１」であり、受信できた放送の地域識別の値が「４１」であれば、当該放送は、「通過地」の放送であると判断される。また、ここで、従来技術の項で示した特開２００１−２４４８３２５号公報の技術を用い、当初の選局ボタンの割当を維持するように選局情報を更新していくこととしてもよい。ＣＰＵ２０９は、前記色設定テーブルとポジション設定テーブルとに基づいて各選局ボタンの表示色を制御する。今、「現在地」にいるとすると、殆どの選局ボタンの色は「白」となるであろう。そして、「通過地１」に近づくと、その地の放送が受信できるようになり、赤色で表示される選局ボタンが増えていくであろう。ユーザーは、選局ボタンが赤色で表示され始めたら、そろそろ白色の選局ボタンによる放送受信は困難になるだとうと考えて、赤色で表示されている選局ボタンを操作して放送を受信しようとすることになる。
【００３６】
（チャンネルリストの作成）
ＣＰＵ２０９は、チャンネルスキャンによって得た各放送の番組情報と各放送の地域識別とポジション設定テーブルとに基づいて、図４（ａ）に示す地域ごとのチャンネルリストを作成することができる。また、ＣＰＵ２０９は、図４（ｂ）に示すジャンル別のチャンネルリストを作成することもできる。このチャンネルリストを図４に示した形態でＯＳＤ表示することもできる。タッチパネル画面上にＯＳＤ表示するときには、放送局名及びその選局ボタン番号が表記されてる各欄を選局ボタンとすることもできる。ここで、前記各欄を選局ボタンとし、その色を地域識別に基づいて変化させるとすると、図４（ａ）の「大阪」のファイル内の各欄（選局ボタン）の色は、全て同じ色となる。同様に、図４（ｂ）の「スポーツ」のファイル内の各欄（選局ボタン）の色は、全て同じ色となる。
【００３７】
以上説明した例では、選局ボタンの色を変化させることとしたが、前述した色設定テーブルに基づくＣＰＵ２０９の制御により、前記電子プログラムガイド内の放送の表示欄の表示色を変化させるようにしてもよい。例えば、図６（ａ）の色設定テーブルが採用されるとすると、地域識別の値が「４０」である放送の表示欄の色は赤色となる。また、例えば、図６（ｂ）の色設定テーブルが採用されるとすると、電子プログラムガイド内の或る番組のジャンルが「１」であると、当該番組の欄の色は白色となる。なお、ジャンルに関係する色制御は、地上ディジタル放送に限らず、衛星ディジタル放送を受信する受信装置において適用することが可能である。
【００３８】
また、上記の例では、選局ボタンをＯＳＤ表示することとし、ＯＳＤ機能で選局ボタンの色を変化させたが、図３に示す携帯型のディジタル放送受信装置２のごとく、実際のボタン（キー）を備える場合には、各ボタンの裏面に発光ダイオード（ＬＥＤ）やエレクトロルミネッセンス（ＥＬ）等の発光素子を設けておく。各ボタンに対して赤色ＬＥＤと青色ＬＥＤと緑色ＬＥＤとを配置しておけば、各ＬＥＤの点灯／消灯によって、白、赤、緑、青、シアン、マゼンダ、イエローの７色を作り出すことができる。
【００３９】
また、上記の例では、どの地域用の放送であるかを示す地域識別情報として、サービス識別に含まれる６ビットの地域識別（area code ）を利用したが、ＮＩＴの地上分配記述子にも、area code が１２ビットで記述されており、前記地域識別情報として、前記１２ビットの地上分配記述子を用いることができる。ただし、前者は６ビットであり、後者は１２ビットである。同じ地域に該当する値も異なっている。例えば、関東広域の地域識別の値は、前者では「１」であるのに対して、後者では「１４４５」である。どちらも地域を識別する情報として用いることができるが、矛盾が生じないように、どちらか一方だけを用いるのが望ましい。
【図面の簡単な説明】
【００４０】
【図１】この発明の実施形態のディジタル放送受信装置の構成を示したブロック図である。
【図２】この発明の実施形態のディジタル放送受信装置（車載型）の外観を示した正面図である。
【図３】この発明の実施形態のディジタル放送受信装置（携帯電話型）の外観を示した正面図である。
【図４】同図（ａ）の地域ごとのチャンネルリストを示した説明図であり、同図（ｂ）はジャンルごとのチャンネルリストを示した説明図である。
【図５】ポジション設定テーブルの一例を示した説明図である。
【図６】同図（ａ）は地域識別と表示色とによる色設定テーブルを示した説明図であり、同図（ｂ）はジャンルと表示色とによる色設定テーブルを示した説明図であり、同図（ｃ）は地域の優先順位と表示色とによる色設定テーブルを示した説明図であり、同図（ａ）はエリアと表示色とによる色設定テーブルを示した説明図である。
【符号の説明】
【００４１】
２      ディジタル放送受信装置
２０２  ＬＣＤパネル
２０５  グラフィックスコントローラ
２０７  ＬＣＤコントローラ
２０９  ＣＰＵ
２３０  地上ディジタルチューナ
【図１】
2006254379.tif 000003
【図２】
2006254379.tif 000004
【図３】
2006254379.tif 000005
【図４】
2006254379.tif 000006
【図５】
2006254379.tif 000007
【図６】
2006254379.tif 000008